(57)【要約】【課題】エレベータを利用しようとする乗客に対して効果的な情報提供を行うとともに省エネ作動が可能なエレベータの乗場表示装置を提供する。【解決手段】エレベータの乗場表示装置１０は、乗場１２にいる乗客Ｗが視認可能な表示位置と視認不能な格納位置とに移動可能な表示部２６と、乗場１２でのかご呼び登録に応じて表示部２６を表示位置まで移動させて情報を表示させるエレベータ制御盤２４とを備える。【選択図】図１
2012188253.tif 000002
【特許請求の範囲】
【請求項１】
エレベータの乗場に設置される表示装置であって、
乗場にいる乗客が視認可能な表示位置と視認不能な格納位置とに移動可能な表示部と、
前記乗場でのかご呼び登録に応じて前記表示部を前記表示位置まで移動させて情報を表示させる制御装置と、
を備える、エレベータの乗場表示装置。
【請求項２】
請求項１に記載のエレベータの乗場表示装置において、
前記制御装置は、前記かご呼び登録があったときに前記乗場に乗りかごが到着するまでの時間を予測する時間予測部を含み、前記予測される時間が所定時間以上であるときに前記表示部を前記表示位置へ移動させることを特徴とする、エレベータの乗場表示装置。
【請求項３】
請求項１または２に記載のエレベータの乗場表示装置において、
前記表示部は、乗場扉を囲む三方枠の上辺部内に格納されており、前記かご呼び登録に応じて前記上辺部に形成された開口部を介して下降することにより前記表示位置まで移動することを特徴とする、エレベータの乗場表示装置。
【請求項４】
請求項１から３のいずれか一項に記載のエレベータの乗場表示装置において、
前記表示部は前記乗場にいる乗客を撮影するカメラを有し、前記制御装置は、前記カメラで撮影した乗客の映像から顔認識を行って乗客が前記表示部を見ているか否かを判定する認識判定部を含み、乗客が前記表示部を見ていないと判定されるとき前記表示部を視認不能な位置へと格納することを特徴とする、エレベータの乗場表示装置。
【請求項５】
請求項１から４のいずれか一項に記載のエレベータの乗場表示装置において、
前記制御装置は、前記かご呼び登録された当該乗場に乗りかごが到着したか否かを判定する到着判定部を含み、乗りかごが到着したと判定されると情報表示を中止して前記表示部を前記格納位置へ移動させることを特徴とする、エレベータの乗場表示装置。
【発明の詳細な説明】
【技術分野】
【０００１】
本発明は、エレベータの乗場表示装置に関する。
【背景技術】
【０００２】
従来より、エレベータの乗場にモニタテレビ等の表示装置を設置して、乗場にいる乗客に対して各種の情報を提供することが提案され、実施もされている。
【０００３】
例えば、特開２００３−６３７４６号公報（特許文献１）には、乗りかご内の乗客数に応じてモニタテレビに放映する内容を替えることにより、乗客に的確に情報を提供すると共に、犯罪を未然に防止することを課題としたエレベータのかご内監視装置が開示されている。このかご内監視装置では、かご内に設置したテレビカメラで撮影したかご内の映像を含む複数種類の映像の放映順序と放映時間を、かご内の乗客数に対応させてスケジューラに設定しておいて、現実のかご内の乗客数を人数演算装置で演算し、その演算結果に基づいて放映順序と放映時間をスケジューラに指示させて、かご内および乗場にそれぞれ設置されたモニタテレビに放映するようにしたものが記載されている。
【先行技術文献】
【特許文献】
【０００４】
【特許文献１】特開２００３−６３７４６号公報
【発明の概要】
【発明が解決しようとする課題】
【０００５】
ところで、エレベータの乗場に設置される表示装置は、乗場扉付近の壁または天井に視認可能な状態で設置されていて、何らかの情報を常時放映しているのが一般的である。この場合、エレベータを利用しようとする乗客が乗場にいないにも拘わらず情報表示が継続して行われることになり、乗客への効果的な情報提供ができないばかりか、見られてもいない表示装置を作動させていることによって無駄な電力を消費していることになる。
【０００６】
本発明の目的は、エレベータを利用しようとする乗客に対して効果的な情報提供を行うとともに省エネ作動が可能なエレベータの乗場表示装置を提供することにある。
【課題を解決するための手段】
【０００７】
本発明に係るエレベータの乗場表示装置は、乗場にいる乗客が視認可能な表示位置と視認不能な格納位置とに移動可能な表示部と、前記乗場でのかご呼び登録に応じて前記表示部を前記表示位置まで移動させて情報を表示させる制御装置と、を備えるものである。
【０００８】
本発明に係るエレベータの乗場表示装置において、前記制御装置は、前記かご呼び登録があったときに前記乗場に乗りかごが到着するまでの時間を予測する時間予測部を含み、前記予測される時間が所定時間以上であるときに前記表示部を前記表示位置へ移動させてもよい。
【０００９】
また、本発明の係るエレベータの乗場表示装置において、前記表示部は、乗場扉を囲む三方枠の上辺部内に格納されており、前記かご呼び登録に応じて前記上辺部に形成された開口部を介して下降することにより前記表示位置まで移動してもよい。
【００１０】
また、本発明に係るエレベータの乗場表示装置において、前記表示部は前記乗場にいる乗客を撮影するカメラを有し、前記制御装置は、前記カメラで撮影した乗客の映像から顔認識を行って乗客が前記表示部を見ているか否かを判定する認識判定部を含み、乗客が前記表示部を見ていないと判定されるとき前記表示部を視認不能な位置へと格納してもよい。
【００１１】
さらに、本発明に係るエレベータの乗場表示装置において、前記制御装置は、前記かご呼び登録された当該乗場に乗りかごが到着したか否かを判定する到着判定部を含み、乗りかごが到着したと判定されると情報表示を中止して前記表示部を前記格納位置へ移動させてもよい。
【発明の効果】
【００１２】
本発明に係るエレベータの乗場表示装置によれば、乗場でのかご呼び登録に応じてその乗場にいる乗客が視認可能な表示位置まで表示部を移動させて情報を表示することから、乗場でかご呼び登録を行った乗客の注目が、表示位置まで移動してきた表示部に集まりやすく、乗りかごの到着を待っている乗客に対して効果的に情報提供を行うことができ、しかも、乗客が待ち時間中に感じることがあるストレスの軽減も図れる。また、かご呼び登録がないときには表示部は視認不能な格納位置にあって情報表示を行わないことで、省エネルギーでの作動が可能になる。
【図面の簡単な説明】
【００１３】
【図１】本発明の一実施の形態であるエレベータの乗場表示装置を示す概略図である。
【図２】本実施形態の乗場表示装置の表示部を示す図であり、（ａ）は正面図、（ｂ）はＡ−Ａ線に沿った断面図である。
【図３】乗場にいる乗客が視認可能な位置まで表示部が移動した状態を示す図である。
【図４】本実施形態の乗場表示装置の制御手順を示すフローチャートである。
【発明を実施するための形態】
【００１４】
以下に、本発明に係る実施の形態（以下、実施形態という）について添付図面を参照しながら詳細に説明する。この説明において、具体的な形状、材料、数値、方向等は、本発明の理解を容易にするための例示であって、用途、目的、仕様等にあわせて適宜変更することができる。
【００１５】
図１は、本発明の一実施形態であるエレベータの乗場表示装置（以下、適宜に「乗場表示装置」とだけいう）を概略的に示す図であり、エレベータの乗場１２に設置されている乗場扉１４を正面から見た様子を示す。
【００１６】
乗場１２には、両開き式または片開き式で開閉動作可能な乗場扉１４が設置されている。乗場扉１４は、当該乗場に乗りかご（図示せず）が到着してかご扉が開閉動作するのに連動して、開閉するように構成されている。
【００１７】
乗場扉１４の周囲には、三方枠１６が設置されている。三方枠１６は、例えばステンレス板等の金属板で形成されており、乗場の壁部１８に固設されている。また、門型をなす三方枠１６は、乗場扉１４の上方に位置する上辺部１６ａと、乗場扉１４の両側にそれぞれ位置する側辺部１６ｂとを有する。そして、三方枠１６の上辺部１６ａ内には、収容空間が形成されている。
【００１８】
乗場１２の壁部１８上であって三方枠１６の横には、かご呼び登録部２０が設置されている。かご呼び登録部２０は、例えば、それぞれ略三角形状の上階行き用ボタン２１および下階行き用ボタン２２を備える。エレベータを利用するために乗場１２に来た乗客がいずれかのボタン２１，２２を押し操作すると、押されたボタンが点灯してかご呼び登録が行われことを乗客に知らしめると共に、かご呼び登録に応じて乗りかごが当該乗場１２へと上昇移動または下降移動して着床および扉開動作するように運転される。
【００１９】
なお、かご呼び登録部２０の登録ボタンは、三角形状に限らず、円形、四角形等の他の形状であってもよい。また、最上階または最下階では登録ボタンは下階行き用または上階行き用のいずれか１つだけが含まれる。さらに、登録ボタンは、押しボタン式のものに限定されず、タッチセンサ式のものであってもよい。さらにまた、行先階に対応する番号が付された複数の登録ボタンまたは登録スイッチが配置されていてもよい。
【００２０】
かご呼び登録部２０は、エレベータの運行を統括制御するエレベータ制御盤（制御装置）２４に電気的に接続されており、かご呼び登録信号がエレベータ制御盤２４へ送信されるようになっている。これに基づきエレベータ制御盤２４は、乗りかごを当該乗場１２へ向かわせるようにエレベータの運転を制御する。また、エレベータ制御盤２４は、ＣＰＵ、メモリ等を含んで構成されるマイクロコンピュータを備えており、メモリに記憶されたプログラムを読み出してＣＰＵで実行することにより、後述する表示制御を行うことができる。エレベータ制御盤２４は、例えば、乗りかごが昇降移動する昇降路の最下部に位置するピット内に設置されている。
【００２１】
本実施形態の乗場表示装置１０は、情報を表示可能な表示部２６と、この表示部２６を図１に示す格納位置と、後述する表示位置（図３参照）とに移動させる駆動部２８とを備える。表示部２６は、乗場１２にいる乗客に対して文字、図形、動画等によって情報を提供するためのものであり、例えば液晶ディスプレイ等の薄型表示パネルによって好適に構成される。
【００２２】
本実施形態では、格納位置にある表示部２６は、三方枠１６の上辺部１６ａ内の収容空間に配置されている。ただし、これに限定されるものではなく、例えば、格納位置にある表示部２６が乗場１２の天井近傍または天井上に配置され、そこから乗客が視認可能な表示位置まで下方移動するよう構成してもよい。
【００２３】
表示部２６および駆動部２８は、エレベータ制御盤２４に電気的に接続されている。表示部２６は、エレベータ制御盤２４から送信される各種の情報を表示することができる。この情報には、例えば、当該乗場１２の階床で行われる催し物やバーゲン等の広告、現在時間、気象情報、エレベータ混み具合、エレベータ待ち時間、テレビ番組、ビデオ、交通情報、地震情報等が含まれる。エレベータ制御盤２４は、予めプログラムされた順序および／または組合せで少なくとも１つの情報を表示部２６に表示させることができる。また、表示部２６にスピーカを内蔵させ、音声情報を提供してもよい。
【００２４】
図２（ａ）は、表示部２６を拡大して示す正面図であり、図２（ｂ）は図２（ａ）中におけるＡ−Ａ線に沿った断面図である。
【００２５】
表示部２６は、薄型でかつ長方形状の外形を有するとともに、情報が表示される領域である表示画面３０を有する。また、表示部２６は、三方枠１６の上辺部１６ａに形成された開口部１７に臨んで設けられており、表示部２６の下面が上辺部１６ａの下面と略面一に配置されている。このように、三方枠１６内で格納位置にある表示部２６は、上記開口部１７の周縁部との間に若干の隙間を空けて上記開口部１７を略塞ぐように配置されているため、乗場１２にいる乗客には表示部２６の表示画面３０が見えず表示部２６の存在に気付かれないようにされている。
【００２６】
表示部２６の両側にそれぞれ設けられている駆動部２８は、駆動モータ３２を含む。駆動モータ３２は、三方枠１６の上辺部１６ａ上に固定されている。駆動モータ３２の出力軸には、ピニオンギヤ３４が固定されている。ピニオンギヤ３４は、表示部２６の裏面に縦方向に沿って延伸するラック３６に噛合している。
【００２７】
表示部２６の表面の横方向両側には、押さえローラ３８が表示部２６を挟んで上記ピニオンギヤ３４と対向して設けられている。押さえローラ３８は、上辺部１６ａ上に固定されたブラケット４０によって回転可能に軸支されている。このように押さえローラ３８によって表示部２６が駆動モータ３２側へ押さえつけられていることで、ピニオンギヤ３４とラック３６との噛合が確実に保持される。なお、図２（ａ）においては、押さえローラ３８およびブラケット４０の図示が省略されている。
【００２８】
このように構成される駆動部２８では、エレベータ制御盤２４からの指令により駆動モータ３２が正転駆動されると、ラックアンドピニオン機構３４，３６によって表示部２６が開口部１７を通って表示位置（図３参照）まで下降移動し、逆に、駆動モータ３２が逆転駆動されると表示位置にある表示部２６は開口部１７を通って図２（ａ）に示す格納位置まで上昇移動するようになっている。
【００２９】
また、表示部２６には、カメラ４２が備えられている。カメラ４２によって撮影された画像は、エレベータ制御盤２４に送信されて、後述する認識判定に用いられることになる。なお、本実施形態では、カメラ４２を表示部２６の下部側面に設けているが、これに限定されず、図２中に破線で示すように表示部２６の下面に設けてもよい。このようにすれば、表示部２６が格納位置にある状態でもカメラ４２を作動させて乗場１２の状況を撮影することが可能になる。
【００３０】
続いて、図３および４も併せて参照して、本実施形態の乗場表示装置１０の動作について説明する。図３は、乗場１２にいる乗客Ｗが視認可能な表示位置まで表示部２６が下降移動した状態を示す図であり、図４は、乗場表示装置１０の制御手順を示すフローチャートである。
【００３１】
エレベータを利用しようとして乗場１２へ来た乗客は、まず、自分が行きたい階床の方向のかご呼び登録ボタンを押し操作する。図３では、下階行き用ボタン２２が押し操作されて点灯している状態が例示されている。これにより、かご呼び登録装置２０からエレベータ制御盤２４へかご呼び登録信号が送信され、これに基づきエレベータ制御盤２４では乗りかごを当該乗場１２へ向かわせるように昇降移動を制御する。
【００３２】
エレベータ制御盤２４では、かご呼び登録が発生すると、図４に示す制御手順を実行する。ここでは、まず、ステップＳ１０（時間予測部）において、かご呼び登録された乗場１２に乗りかごが到着するまでに要する時間Ｔを予測する。エレベータ制御盤２４は、乗りかごの現在位置、乗りかご内の行き先階登録、他の階床でのかご呼び登録等を総合的に考慮して、乗場１２に乗りかごが到着するまでのおよその予測時間Ｔを導出できる。
【００３３】
次に、ステップＳ１２において、予測時間Ｔを閾値Ｔrefと比較する。この閾値Ｔrefは、予め決められてメモリに記憶されている所定の時間であり、格納位置にある表示部２６を表示位置へと下降移動させて情報を表示させ、その後、また格納位置まで上昇移動させるのに要する時間を考慮して設定されている。
【００３４】
上記ステップＳ１２において、予測時間Ｔが閾値Ｔref以下であると判定されると（ステップＳ１２でＮＯ）、そのまま処理を終了する。すなわち、表示部２６を格納位置のまま維持して、情報表示を行わない。
【００３５】
一方、上記ステップＳ１２において、予測時間Ｔが閾値Ｔref以上であると判定されると（ステップＳ１２でＹＥＳ）、エレベータ制御盤２４は駆動モータ３２を所定回転数だけ正転駆動して、表示部２６を図３に示す表示位置まで下降移動させ（ステップＳ１４）、表示画面３０に情報を表示する（ステップＳ１６）。
【００３６】
このとき、乗場扉１４前で乗りかごの到着を待っている乗客にとって、乗場扉１４の上部付近に出現してきた表示部２６に視線が向いて注目されやすい。そのため、乗りかごの到着を待っている時間中に、乗客Ｗに対して効果的に情報提供を行うことができる。同時に、乗客Ｗが待ち時間中に感じることがあるストレスの軽減も図れる。
【００３７】
また、表示部２６の表示画面３０の一部に乗りかご到着までの予測時間Ｔが表示されていれば、それを参考にしてエスカレータの利用に変更する等の判断もでき、乗客Ｗにとっての利便性が向上する。
【００３８】
表示部２６が表示位置において情報を表示しているとき、カメラ４２で撮影した乗客Ｗの画像をエレベータ制御盤２４に送信する。エレベータ制御盤２４では、ステップＳ１８（認識判定部）において、その画像について顔認識ソフトモジュールを用いて解析を行うことにより乗客Ｗが表示部２６を見ているか否かを判定する。上記の顔認識ソフトモジュールは、入退出管理システムやデジタルカメラの顔認識機能等で用いられる実用化されている市販のソフトウェアまたはプログラムを使用できる。
【００３９】
そして、上記ステップＳ１８において乗客Ｗが表示部２６を所定時間、例えば１０秒程度の間、全く見ていないと判定されると（ステップＳ１８でＮＯ）、ステップＳ２２に進んで、表示部２６での情報表示を停止するとともに駆動モータ３２を逆転駆動して表示部２６を格納位置まで上昇移動させて、この処理を終了する。
【００４０】
他方、上記ステップＳ１８において、乗客Ｗが表示部２６を見ていると判定されると（ステップＳ１８でＹＥＳ）、続くステップＳ２０（到着判定部）において、乗りかごが当該乗場１２に到着したか否かを判定する。ここでは、乗りかごが到着したと判定されるまで、上記ステップＳ１６，Ｓ１８を繰り返し実行して、表示部２６による情報表示を継続する。なお、エレベータ制御盤２４は、各階床への乗りかごの到着を昇降路内に設けたリミットスイッチ等の検出手段により検知できることから、当該乗場１２に乗りかごが到着したことをその検出手段からの信号に基づいて判定することができる。
【００４１】
そして、上記ステップＳ２０において乗りかごが到着したと判定されると、かご扉および乗場扉１４が開く前に、上記ステップＳ２２によって情報放映の停止および表示部２６の格納を実行して、この処理を終了する。このように、乗場扉１４が開いて乗客Ｗが乗りかごに入るときには、表示部２６は既に格納されているため、乗りかごへの乗客の出入りを妨げることもない。
【００４２】
上記のおとり、本実施形態の乗場表示装置１０によれば、乗場１２でのかご呼び登録に応じてその乗場１２にいる乗客Ｗが視認可能な表示位置まで表示部２６を下降移動させて情報を表示することから、乗場１２でかご呼び登録を行った乗客Ｗの注目が、表示位置まで移動してきた表示部２６に集まりやすく、乗りかごの到着を待っている乗客に対して効果的に情報提供を行うことができるし、乗客Ｗが待ち時間中に感じることがあるストレスの軽減も図れる。また、乗場１２においてかご呼び登録がないときには表示部２６は三方枠１６内の視認不能な格納位置にあって情報表示を行わないことから、乗場表示装置１０を省エネルギーで作動させることができる。
【００４３】
なお、本発明は上記の実施形態に限定されるものではなく、種々の変更や改良が可能である。
【００４４】
例えば、上記においては、予測時間Ｔが閾値Ｔref未満のときは、表示部２６の表示位置への移動および情報表示を行わないものとして説明したが、これに限定されるものではなく、予測時間Ｔが閾値Ｔrefよりも短い場合であっても表示部２６の出し入れが可能であれば、それに応じた時間長さのコンテンツまたは情報を自動的に選択して表示部２６で表示させるようにしてもよい。
【００４５】
また、本発明の乗場表示装置は、エレベータが点検中で使用できないときにその旨を乗客に知らしめるために用いられてもよい。
【００４６】
さらに、上記実施形態では、エレベータ制御盤２４が本発明の制御装置に相当するものとして説明したが、本発明の制御装置が各乗場にそれぞれ設けられていて判定に必要な乗りかご等に関する情報をエレベータ制御盤から通信により取得するようにしてもよい。
【符号の説明】
【００４７】
１０  エレベータの乗場表示装置、１２  乗場、１４  乗場扉、１６  三方枠、１６ａ  上辺部、１６ｂ  側辺部、１７  開口部、１８  壁部、２０  かご呼び登録部又はかご呼び登録装置、２１  上階行き用ボタン、２２  下階行き用ボタン、２４  エレベータ制御盤、２６  表示部、２８  駆動部、３０  表示画面、３２  駆動モータ、３２  ピニオンギヤ、３２  駆動モータ、３４  ピニオンギヤ、３４，３６  ラックアンドピニオン機構、３６  ラック、３８  押さえローラ、４０  ブラケット、４２  カメラ、Ｗ  乗客。
【図１】
2012188253.tif 000003
【図２】
2012188253.tif 000004
【図３】
2012188253.tif 000005
【図４】
2012188253.tif 000006